【手続補正書】
【提出日】平成18年8月31日(2006.8.31)
【手続補正１】
【補正対象書類名】特許請求の範囲
【補正対象項目名】全文
【補正方法】変更
【補正の内容】
【特許請求の範囲】
【請求項１】
ＭＡＣリトライ限界を無線ローカル・エリア・ネットワークの送信状態に適応させる方法であって、
ａ．前記リトライ限界Ｒを事前に指定した値で開始するステップと、
ｂ．事前に指定した頻度で、インターフェイス・キューのドロップ率とＭＡＣのドロップ率との比較によって前記ＭＡＣリトライ限界を再設定するステップと、
ｃ．前記ネットワークの送信状態を監視するステップと、
ｄ．前記ネットワークの送信状態に基づいて前記ＭＡＣリトライ限界を再設定し、前記インターフェイス・キューと前記ＭＡＣとがほぼ同等のドロップ率になるようにするステップと、
ｄ．ステップｃ〜ｄを連続的に繰り返すステップとを備える方法。
【請求項２】
ステップｂは、
ｂ．ｌ  前記インターフェイス・キューの前記インターフェイス・キュー・ドロップ率ｑｕｅｕｅ＿ｄｒｏｐ＿ｒａｔｅを測定するステップと、
ｂ．２  前記ＭＡＣリトライ限界ｒｅｔｒｙ＿ｌｉｍｉｔの現在の値について、前記ＭＡＣドロップ率ＭＡＣ＿ｄｒｏｐ＿ｒａｔｅを測定するステップと、
ｂ．３  前記ドロップ率の合計＝ｑｕｅｕｅ＿ｄｒｏｐ＿ｒａｔｅ＋ＭＡＣ＿ｄｒｏｐ＿ｒａｔｅ＜Ｔｈｌ（Ｔｈｌは事前に指定したしきい値）である場合に、事前に指定したリトライ限界の下限Ｒに達するまで、前記リトライ限界ｒｅｔｒｙ＿ｌｉｍｉｔを１ずつ減らすステップとをさらに備える請求項１に記載の方法。
【請求項３】
ステップｃは、
ｄ．１  ｜ｑｕｅｕｅ＿ｄｒｏｐ＿ｒａｔｅ−ＭＡＣ＿ｄｒｏｐ＿ｒａｔｅ｜＞Ｔｈ２（Ｔｈ２は事前に指定した許容誤差）である場合に、
ｄ．１．１  ＭＡＣ＿ｄｒｏｐ＿ｒａｔｅ＞ｑｕｅｕｅ＿ｄｒｏｐ＿ｒａｔｅであれば前記リトライ限界ｒｅｔｒｙ＿ｌｉｍｉｔを１ずつ増やすサブステップと、
ｄ．１．２  ＭＡＣ＿ｄｒｏｐ＿ｒａｔｅ＜＝ｑｕｅｕｅ＿ｄｒｏｐ＿ｒａｔｅであれば前記リトライ限界ｒｅｔｒｙ＿ｌｉｍｉｔを１ずつ減らすサブステップと、
ｄ．１．３  ｑｕｅｕｅ＿ｄｒｏｐ＿ｒａｔｅ＞Ｎ＊ＭＡＣ＿ｄｒｏｐ＿ｒａｔｅ（Ｎは事前に指定した正の数）である場合に、前記リトライ限界をさらに１ずつ減らすサブステップとを実行するステップをさらに備える請求項２に記載の方法。
【請求項４】
Ｔｈｌ＝０．０００１、Ｒ＝４、Ｔｈ２＝０．０１、Ｎ＝１０である請求項３に記載の方法。
【請求項５】
複数のアクセス・ポイントを備える無線ローカル・エリア・ネットワークであって、前記複数のアクセス・ポイントのそれぞれは、
ＭＡＣリトライ限界を無線ローカル・エリア・ネットワークの送信状態に適応させるために、
ａ．前記リトライ限界Ｒを事前に指定した値で開始するステップと、
ｂ．事前に指定した頻度で、インターフェイス・キューのドロップ率とＭＡＣのドロップ率との比較によって前記ＭＡＣリトライ限界を再設定するステップと、
ｃ．前記ネットワークの送信状態を監視するステップと、
ｄ．前記ネットワークの送信状態に基づいて前記ＭＡＣリトライ限界を再設定し、前記インターフェイス・キューと前記ＭＡＣとがほぼ同等のドロップ率になるようにするステップと、を実行し、
ステップｃ〜ｄを連続的に繰り返すネットワーク。
【請求項６】
複数のアクセス・ポイントを備える無線ローカル・エリア・ネットワークであって、前記複数のアクセス・ポイントのそれぞれは、
ＭＡＣリトライ限界を無線ローカル・エリア・ネットワークの送信状態に適応させるために、
ａ．前記リトライ限界Ｒを事前に指定した値で開始するステップと、
ｂ．事前に指定した頻度で、インターフェイス・キューのドロップ率とＭＡＣのドロップ率との比較によって前記ＭＡＣリトライ限界を再設定するステップと、
ｃ．前記ネットワークの送信状態を監視するステップと、
ｄ．前記ネットワークの送信状態に基づいて前記ＭＡＣリトライ限界を再設定し、前記インターフェイス・キューと前記ＭＡＣとがほぼ同等のドロップ率になるようにするステップと、を実行し、
ステップｃ〜ｄは連続的に繰り返され、
ステップｃは、
ｄ．１  ｜ｑｕｅｕｅ＿ｄｒｏｐ＿ｒａｔｅ−ＭＡＣ＿ｄｒｏｐ＿ｒａｔｅ｜＞Ｔｈ２（Ｔｈ２は事前に指定した許容誤差）である場合に、
ｄ．１．１  ＭＡＣ＿ｄｒｏｐ＿ｒａｔｅ＞ｑｕｅｕｅ＿ｄｒｏｐ＿ｒａｔｅであれば前記リトライ限界ｒｅｔｒｙ＿ｌｉｍｉｔを１ずつ増やすサブステップと、
ｄ．１．２  ＭＡＣ＿ｄｒｏｐ＿ｒａｔｅ＜＝ｑｕｅｕｅ＿ｄｒｏｐ＿ｒａｔｅであれば前記リトライ限界ｒｅｔｒｙ＿ｌｉｍｉｔを１ずつ減らすサブステップと、
ｄ．１．３  ｑｕｅｕｅ＿ｄｒｏｐ＿ｒａｔｅ＞Ｎ＊ＭＡＣ＿ｄｒｏｐ＿ｒａｔｅ（Ｎは事前に指定した正の数）である場合に、前記リトライ限界をさらに１ずつ減らすサブステップとを実行するネットワーク。
【請求項７】
ＭＡＣリトライ限界を無線ローカル・エリア・ネットワークの送信状態に適応させるために、
ａ．前記リトライ限界Ｒを事前に指定した値で開始するステップと、
ｂ．事前に指定した頻度で、インターフェイス・キューのドロップ率とＭＡＣのドロップ率との比較によって前記ＭＡＣリトライ限界を再設定するステップと、
ｃ．前記ネットワークの送信状態を監視するステップと、
ｄ．前記ネットワークの送信状態に基づいて前記ＭＡＣリトライ限界を再設定し、前記インターフェイス・キューと前記ＭＡＣとがほぼ同等のドロップ率になるようにするステップと、を実行し、
ステップｃ〜ｄを連続的に繰り返すように構成された無線インターフェイス・ドライバを備える無線インターフェイス。
【請求項８】
ＭＡＣリトライ限界を無線ローカル・エリア・ネットワークの送信状態に適応させるために、
ａ．前記リトライ限界Ｒを事前に指定した値で開始するステップと、
ｂ．事前に指定した頻度で、インターフェイス・キューのドロップ率とＭＡＣのドロップ率との比較によって前記ＭＡＣリトライ限界を再設定するステップと、
ｃ．前記ネットワークの送信状態を監視するステップと、
ｄ．前記ネットワークの送信状態に基づいて前記ＭＡＣリトライ限界を再設定し、前記インターフェイス・キューと前記ＭＡＣとがほぼ同等のドロップ率になるようにするステップと、を実行し、
ステップｃ〜ｄを連続的に繰り返し、
ステップｃは、
ｄ．１  ｜ｑｕｅｕｅ＿ｄｒｏｐ＿ｒａｔｅ−ＭＡＣ＿ｄｒｏｐ＿ｒａｔｅ｜＞Ｔｈ２（Ｔｈ２は事前に指定した許容誤差）である場合に、
ｄ．１．１  ＭＡＣ＿ｄｒｏｐ＿ｒａｔｅ＞ｑｕｅｕｅ＿ｄｒｏｐ＿ｒａｔｅであれば前記リトライ限界ｒｅｔｒｙ＿ｌｉｍｉｔを１ずつ増やすサブステップと、
ｄ．１．２  ＭＡＣ＿ｄｒｏｐ＿ｒａｔｅ＜＝ｑｕｅｕｅ＿ｄｒｏｐ＿ｒａｔｅであれば前記リトライ限界ｒｅｔｒｙ＿ｌｉｍｉｔを１ずつ減らすサブステップと、
ｄ．１．３  ｑｕｅｕｅ＿ｄｒｏｐ＿ｒａｔｅ＞Ｎ＊ＭＡＣ＿ｄｒｏｐ＿ｒａｔｅ（Ｎは事前に指定した正の数）である場合に、前記リトライ限界をさらに１ずつ減らすサブステップとを実行するように構成された無線インターフェイス・ドライバを備える無線インターフェイス。
【請求項９】
ＭＡＣリトライ限界を無線ローカル・エリア・ネットワークの送信状態に適応させるために、
ａ．前記リトライ限界Ｒを事前に指定した値で開始するステップと、
ｂ．事前に指定した頻度で、インターフェイス・キューのドロップ率とＭＡＣのドロップ率との比較によって前記ＭＡＣリトライ限界を再設定するステップと、
ｃ．前記ネットワークの送信状態を監視するステップと、
ｄ．前記ネットワークの送信状態に基づいて前記ＭＡＣリトライ限界を再設定し、前記インターフェイス・キューと前記ＭＡＣとがほぼ同等のドロップ率になるようにするステップと、を実行し、
ステップｃ〜ｄを連続的に繰り返すように構成された無線インターフェイス・カードを備える無線インターフェイス。
【請求項１０】
ＭＡＣリトライ限界を無線ローカル・エリア・ネットワークの送信状態に適応させるために、
ａ．前記リトライ限界Ｒを事前に指定した値で開始するステップと、
ｂ．事前に指定した頻度で、インターフェイス・キューのドロップ率とＭＡＣのドロップ率との比較によって前記ＭＡＣリトライ限界を再設定するステップと、
ｃ．前記ネットワークの送信状態を監視するステップと、
ｄ．前記ネットワークの送信状態に基づいて前記ＭＡＣリトライ限界を再設定し、前記インターフェイス・キューと前記ＭＡＣとがほぼ同等のドロップ率になるようにするステップと、を実行し、
ステップｃ〜ｄは連続的に繰り返され、
ステップｃは、
ｄ．１  ｜ｑｕｅｕｅ＿ｄｒｏｐ＿ｒａｔｅ−ＭＡＣ＿ｄｒｏｐ＿ｒａｔｅ｜＞Ｔｈ２（Ｔｈ２は事前に指定した許容誤差）である場合に、
ｄ．１．１  ＭＡＣ＿ｄｒｏｐ＿ｒａｔｅ＞ｑｕｅｕｅ＿ｄｒｏｐ＿ｒａｔｅであれば前記リトライ限界ｒｅｔｒｙ＿ｌｉｍｉｔを１ずつ増やすサブステップと、
ｄ．１．２  ＭＡＣ＿ｄｒｏｐ＿ｒａｔｅ＜＝ｑｕｅｕｅ＿ｄｒｏｐ＿ｒａｔｅであれば前記リトライ限界ｒｅｔｒｙ＿ｌｉｍｉｔを１ずつ減らすサブステップと、
ｄ．１．３  ｑｕｅｕｅ＿ｄｒｏｐ＿ｒａｔｅ＞Ｎ＊ＭＡＣ＿ｄｒｏｐ＿ｒａｔｅ（Ｎは事前に指定した正の数）である場合に、前記リトライ限界をさらに１ずつ減らすサブステップとを実行するように構成された無線インターフェイス・カードを備える無線インターフェイス。
【請求項１１】
無線ローカル・エリア・ネットワークのノードであって、
ＭＡＣリトライ限界が設定され、
ＭＡＣリトライ限界を無線ローカル・エリア・ネットワークの送信状態に適応させるために、
ａ．前記リトライ限界Ｒを事前に指定した値で開始するステップと、
ｂ．事前に指定した頻度で、インターフェイス・キューのドロップ率とＭＡＣのドロップ率との比較によって前記ＭＡＣリトライ限界を再設定するステップと、
ｃ．前記ネットワークの送信状態を監視するステップと、
ｄ．前記ネットワークの送信状態に基づいて前記ＭＡＣリトライ限界を再設定し、前記インターフェイス・キューと前記ＭＡＣとがほぼ同等のドロップ率になるようにするステップと、を実行し、
ステップｃ〜ｄは連続的に繰り返され、
ステップｃは、
ｄ．１  ｜ｑｕｅｕｅ＿ｄｒｏｐ＿ｒａｔｅ−ＭＡＣ＿ｄｒｏｐ＿ｒａｔｅ｜＞Ｔｈ２（Ｔｈ２は事前に指定した許容誤差）である場合に、
ｄ．１．１  ＭＡＣ＿ｄｒｏｐ＿ｒａｔｅ＞ｑｕｅｕｅ＿ｄｒｏｐ＿ｒａｔｅであれば前記リトライ限界ｒｅｔｒｙ＿ｌｉｍｉｔを１ずつ増やすサブステップと、
ｄ．１．２  ＭＡＣ＿ｄｒｏｐ＿ｒａｔｅ＜＝ｑｕｅｕｅ＿ｄｒｏｐ＿ｒａｔｅであれば前記リトライ限界ｒｅｔｒｙ＿ｌｉｍｉｔを１ずつ減らすサブステップと、
ｄ．１．３  ｑｕｅｕｅ＿ｄｒｏｐ＿ｒａｔｅ＞Ｎ＊ＭＡＣ＿ｄｒｏｐ＿ｒａｔｅ（Ｎは事前に指定した正の数）である場合に、前記リトライ限界をさらに１ずつ減らすサブステップとを実行するように構成された無線インターフェイス・ドライバを備える無線インターフェイスと、
前記インターフェイス・キューを監視し、ｑｕｅｕｅ＿ｄｒｏｐ＿ｒａｔｅを測定し、さらに前記測定したｑｕｅｕｅ＿ｄｒｏｐ＿ｒａｔｅを前記無線インターフェイス・ドライバに提供するオペレーティング・システムとを備えており、
前記ノードの前記ＭＡＣリトライ限界は前記ネットワークの送信状態に動的に適応するノード。
【請求項１２】
無線ローカル・エリア・ネットワークのノードであって、
ＭＡＣリトライ限界が設定され、
ＭＡＣリトライ限界を無線ローカル・エリア・ネットワークの送信状態に適応させるために、
ａ．前記リトライ限界Ｒを事前に指定した値で開始するステップと、
ｂ．事前に指定した頻度で、インターフェイス・キューのドロップ率とＭＡＣのドロップ率との比較によって前記ＭＡＣリトライ限界を再設定するステップと、
ｃ．前記ネットワークの送信状態を監視するステップと、
ｄ．前記ネットワークの送信状態に基づいて前記ＭＡＣリトライ限界を再設定し、前記インターフェイス・キューと前記ＭＡＣとがほぼ同等のドロップ率になるようにするステップと、を実行し、
ステップｃ〜ｄは連続的に繰り返され、
ステップｃは、
ｄ．１  ｜ｑｕｅｕｅ＿ｄｒｏｐ＿ｒａｔｅ−ＭＡＣ＿ｄｒｏｐ＿ｒａｔｅ｜＞Ｔｈ２（Ｔｈ２は事前に指定した許容誤差）である場合に、
ｄ．１．１  ＭＡＣ＿ｄｒｏｐ＿ｒａｔｅ＞ｑｕｅｕｅ＿ｄｒｏｐ＿ｒａｔｅであれば前記リトライ限界ｒｅｔｒｙ＿ｌｉｍｉｔを１ずつ増やすサブステップと、
ｄ．１．２  ＭＡＣ＿ｄｒｏｐ＿ｒａｔｅ＜＝ｑｕｅｕｅ＿ｄｒｏｐ＿ｒａｔｅであれば前記リトライ限界ｒｅｔｒｙ＿ｌｉｍｉｔを１ずつ減らすサブステップと、
ｄ．１．３  ｑｕｅｕｅ＿ｄｒｏｐ＿ｒａｔｅ＞Ｎ＊ＭＡＣ＿ｄｒｏｐ＿ｒａｔｅ（Ｎは事前に指定した正の数）である場合に、前記リトライ限界をさらに１ずつ減らすサブステップとを実行するように構成された無線インターフェイス・カードを備える無線インターフェイスと、
前記インターフェイス・キューを監視し、ｑｕｅｕｅ＿ｄｒｏｐ＿ｒａｔｅを測定し、さらに前記測定したｑｕｅｕｅ＿ｄｒｏｐ＿ｒａｔｅを前記無線インターフェイス・カードに提供するオペレーティング・システムとを備えており、
前記ノードの前記ＭＡＣリトライ限界は前記ネットワークの送信状態に動的に適応するノード。